(57)【要約】【課題】被処理基板を処理する基板処理装置での処理時の検査に用いる撮像画像の品質を向上させる。【解決手段】、被処理基板を処理する基板処理装置であって、被処理基板を保持して回転させる回転保持部と、前記回転保持部に保持された被処理基板の表面を撮像領域に含む撮像部と、前記撮像部の前記撮像領域に光を照射する光源と、前記撮像部による撮像結果に基づいて検査を行う検査部と、前記検査に用いる撮像結果を、当該撮像結果が得られたときの被処理基板の向きに基づいて選択する選択部と、を有する。【選択図】図４
2020061419.tif 000002
【特許請求の範囲】
【請求項１】
被処理基板を処理する基板処理装置であって、
被処理基板を保持して回転させる回転保持部と、
前記回転保持部に保持された被処理基板の表面を撮像領域に含む撮像部と、
前記撮像部の前記撮像領域に光を照射する光源と、
前記撮像部による撮像結果に基づいて検査を行う検査部と、
前記検査に用いる撮像結果を、当該撮像結果が得られたときの被処理基板の向きに基づいて選択する選択部と、を有する、基板処理装置。
【請求項２】
前記検査に先立って、前記回転保持部に保持された被処理基板の向きが互いに異なる複数の状態の撮像結果を取得する事前取得部と、
前記複数の状態の撮像結果に基づいて、前記検査用の撮像時に不適切な被処理基板の向きを判定する判定部と、を有し、
前記選択部は、前記判定部での判定結果に基づいて、前記検査に用いる撮像結果を選択する、請求項１に記載の基板処理装置。
【請求項３】
前記選択部は、前記判定部による前記不適切な被処理基板の向きの判定結果、前記検査用の撮像時の被処理基板の回転数及び前記検査用の撮像時の前記撮像部のフレームレートに基づいて、前記検査に用いる撮像結果を選択する、請求項２に記載の基板処理装置。
【請求項４】
前記検査部は、前記撮像結果の検査対象領域の情報に基づいて検査を行う、請求項１〜３のいずれか１項に記載の基板処理装置。
【請求項５】
前記検査対象領域は複数であり、
前記選択部は、前記検査対象領域毎に、前記検査に用いる撮像結果を選択する、請求項４に記載の基板処理装置。
【請求項６】
前記検査対象領域は前記検査中に移動し、
前記選択部は、前記検査中の各時点における前記検査対象領域毎に、当該検査対象領域が設定された撮像結果を前記検査に用いるか否かの判定を行い、当該判定結果に基づいて前記検査に用いる撮像結果を選択する、請求項４または５に記載の基板処理装置。
【請求項７】
前記検査部は、複数種類の前記検査を行い、
前記光源は、前記検査の種類毎に設けられ、
前記検査の種類と前記光源の種類は、撮像フレーム毎に設定される、請求項１〜６のいずれか１項に記載の基板処理装置。
【請求項８】
被処理基板を処理する基板処理装置を検査する検査方法であって、
前記基板処理装置は、
被処理基板を保持して回転させる回転保持部と、
前記回転保持部に保持された被処理基板の表面を撮像領域に含む撮像部と、
前記撮像部の前記撮像領域に光を照射する光源と、を有し、
当該検査方法は、
前記検査に用いる撮像結果を、当該撮像結果が得られたときの被処理基板の向きに基づいて選択する工程と、
前記撮像部による撮像結果に基づいて検査を行う工程と、を有する、検査方法。
【発明の詳細な説明】
【技術分野】
【０００１】
本開示は、基板処理装置及び検査方法に関する。
【背景技術】
【０００２】
特許文献１は、処理対象物の上方に位置するノズルから当該処理対象物の上面に向けて流下する液体の流下状態を判定する流下判定方法を開示している。この方法では、ノズルから処理対象物の上面に至る液体の流下経路を撮像視野に含めて撮像が行われる。次いで、撮像された画像のうち流下経路に対応する評価対象領域内で、液体の流下方向に沿って１列に並ぶ画素からなる画素列毎に、当該画素列に属する画素の画素値の合計値が算出される。そして、流下方向に直交する直交方向に沿った合計値の変化態様に基づき液体の流下の有無が判定される。
【先行技術文献】
【特許文献】
【０００３】
【特許文献１】特開２０１７−２９８８３号公報
【発明の概要】
【発明が解決しようとする課題】
【０００４】
本開示にかかる技術は、被処理基板を処理する基板処理装置での処理時の検査に用いる撮像画像の品質を向上させる。
【課題を解決するための手段】
【０００５】
本開示の一態様は、被処理基板を処理する基板処理装置であって、被処理基板を保持して回転させる回転保持部と、前記回転保持部に保持された被処理基板の表面を撮像領域に含む撮像部と、前記撮像部の前記撮像領域に光を照射する光源と、前記撮像部による撮像結果に基づいて検査を行う検査部と、前記検査に用いる撮像結果を、当該撮像結果が得られたときの被処理基板の向きに基づいて選択する選択部と、を有する。
【発明の効果】
【０００６】
本開示によれば、被処理基板を処理する基板処理装置での処理時の検査に用いる撮像画像の品質を向上させることができる。
【図面の簡単な説明】
【０００７】
【図１】第１の実施形態にかかる基板処理装置としてのレジスト膜形成装置を備えた基板処理システムの構成の概略を模式的に示す平面図である。
【図２】第１の実施形態にかかる基板処理装置としてのレジスト膜形成装置を備えた基板処理システムの構成の概略を模式的に示す正面図である。
【図３】第１の実施形態にかかる基板処理装置としてのレジスト膜形成装置を備えた基板処理システムの構成の概略を模式的に示す背面図である。
【図４】レジスト膜形成装置の構成の概略を示す縦断面図である。
【図５】レジスト膜形成装置の構成の概略を示す横断面図である。
【図６】レジスト膜形成装置の検査に関する制御部の構成の概略を示すブロック図である。
【図７】レジスト膜形成装置による処理時の検査に用いられるカメラの撮像結果の検査対象領域の説明図である。
【図８】被処理基板の向きに応じて外乱光が撮像結果に影響を及ぼすことを説明する図である。
【図９】カメラの撮像素子の露光タイミング及び当該撮像素子からの撮像結果の出力タイミングの一例を示すタイミングチャートである。
【図１０】被処理基板の向きが所定角度ずつずれた撮像結果それぞれと輝度値との関係を示す図である。
【図１１】被処理基板の回転数及びカメラのフレームレートと、検査時の光源の発光タイミングとの関係を説明する図である。
【図１２】第２の実施形態にかかる検査対象領域の説明図である。
【図１３】第２の実施形態にかかるレジスト膜形成装置の構成の概略を示す縦断面図である。
【図１４】第３の実施形態にかかる基板処理装置としてのレジスト膜形成装置の検査に関する制御部の構成の概略を示すブロック図である。
【発明を実施するための形態】
【０００８】
半導体デバイス等の製造プロセスにおけるフォトリソグラフィー工程では、半導体ウェハ（以下、「ウェハ」という。）上にレジスト液を供給しレジスト膜を形成するレジスト塗布処理等を含む一連の処理が行われ、ウェハ上に所定のレジストパターンが形成される。上記一連の処理には、上述のレジスト塗布処理の他、所定のパターンに露光されたレジスト膜を現像する現像処理等が含まれる。この一連の処理は、ウェハを処理する各種処理装置やウェハを搬送する搬送装置等を搭載した塗布現像処理システムで行われている。
【０００９】
この塗布現像処理システムにおいて、上記処理装置のうち、レジスト液等の処理液を用いる処理を行う液処理装置は、ウェハを保持して回転するスピンチャックと、このスピンチャックに保持されたウェハに処理液を供給する処理液供給ノズルとを有する。この液処理装置では、例えば、スピンチャックに保持されたウェハの中央に処理液供給ノズルから処理液を供給しながら当該スピンチャックを回転させる回転処理が行われる。
【００１０】
回転処理では、処理液供給ノズルの吐出口付近を撮像し、撮像された結果を解析して処理液供給ノズルからの吐出状態を判定すること等が必要になる場合がある。この判定のための技術としては、特許文献１に記載のものがある。特許文献１では、ノズルから処理対象物の上面に至る液体の流下経路を撮像視野に含めて撮像し、その撮像結果に基づいてノズルからの液体の流下状態を判定する。
【００１１】
ところで、処理液供給ノズルからの吐出状態を判定する検査等の、基板処理装置の検査には、高精度化が求められている。この高精度化のためには、検査に撮像画像を用いる場合、高品質な撮像画像を取得する必要がある。この点に関し、特許文献１には何らの開示も示唆もされていない。
【００１２】
そこで、本開示にかかる技術は、被処理基板を処理する基板処理装置での処理時の検査に用いる撮像画像の品質を向上させる。
【００１３】
以下、本実施形態にかかる基板処理装置及び検査方法を、図面を参照して説明する。なお、本明細書及び図面において、実質的に同一の機能構成を有する要素においては、同一の符号を付することにより重複説明を省略する。
【００１４】
（第１の実施形態）
図１は、第１の実施形態にかかる基板処理装置としてのレジスト膜形成装置を備えた基板処理システム１の内部構成の概略を模式的に示す説明図である。図２及び図３は、各々基板処理システム１の内部構成の概略を模式的に示す、正面図と背面図である。なお、本実施の形態では、基板処理システム１が被処理基板としてのウェハＷに対して塗布処理及び現像処理を行う塗布現像処理システムである場合を例にして説明する。
【００１５】
基板処理システム１は、図１に示すように、複数枚のウェハＷを収容したカセットＣが搬入出されるカセットステーション１０と、ウェハＷに所定の処理を施す複数の各種処理装置を備えた処理ステーション１１と、を有する。そして、基板処理システム１は、カセットステーション１０と、処理ステーション１１と、処理ステーション１１に隣接する露光装置１２との間でウェハＷの受け渡しを行うインターフェイスステーション１３と、を一体に接続した構成を有している。
【００１６】
カセットステーション１０には、カセット載置台２０が設けられている。カセット載置台２０には、基板処理システム１の外部に対してカセットＣを搬入出する際に、カセットＣを載置するカセット載置板２１が複数設けられている。
【００１７】
カセットステーション１０には、図のＸ方向に延びる搬送路２２上を移動自在なウェハ搬送装置２３が設けられている。ウェハ搬送装置２３は、上下方向及び鉛直軸周り（θ方向）にも移動自在であり、各カセット載置板２１上のカセットＣと、後述する処理ステーション１１の第３のブロックＧ３の受け渡し装置との間でウェハＷを搬送できる。
【００１８】
処理ステーション１１には、各種装置を備えた複数例えば４つのブロックＧ１、Ｇ２、Ｇ３、Ｇ４が設けられている。例えば処理ステーション１１の正面側（図１のＸ方向負方向側）には、第１のブロックＧ１が設けられ、処理ステーション１１の背面側（図１のＸ方向正方向側）には、第２のブロックＧ２が設けられている。また、処理ステーション１１のカセットステーション１０側（図１のＹ方向負方向側）には、第３のブロックＧ３が設けられ、処理ステーション１１のインターフェイスステーション１３側（図１のＹ方向正方向側）には、第４のブロックＧ４が設けられている。
【００１９】
第１のブロックＧ１には、図２に示すように複数の液処理装置、例えば現像処理装置３０、下部反射防止膜形成装置３１、レジスト膜形成装置３２、上部反射防止膜形成装置３３が下からこの順に配置されている。
現像処理装置３０は、ウェハＷを現像処理する。
下部反射防止膜形成装置３１は、ウェハＷのレジスト膜の下層に反射防止膜（以下「下部反射防止膜」という）を形成する。
レジスト膜形成装置３２は、ウェハＷにレジスト液を供給してレジスト膜を形成する。
上部反射防止膜形成装置３３は、ウェハＷのレジスト膜の上層に反射防止膜（以下「上部反射防止膜」という）を形成する。
【００２０】
例えば現像処理装置３０、下部反射防止膜形成装置３１、レジスト膜形成装置３２、上部反射防止膜形成装置３３は、それぞれ水平方向に３つ並べて配置されている。なお、これら現像処理装置３０、下部反射防止膜形成装置３１、レジスト膜形成装置３２、上部反射防止膜形成装置３３の数や配置は、任意に選択できる。
【００２１】
これら現像処理装置３０、下部反射防止膜形成装置３１、レジスト膜形成装置３２、上部反射防止膜形成装置３３では、例えばウェハＷ上に所定の処理液を用いたスピンコーティングが行われる。スピンコーティングでは、例えば処理液供給ノズルからウェハＷ上に処理液を吐出すると共に、ウェハＷを回転させて、処理液をウェハＷの表面に拡散させる。
【００２２】
第２のブロックＧ２には、図３に示すように、熱処理装置４０、アドヒージョン装置４１、周辺露光装置４２が上下方向と水平方向に並べて設けられている。
熱処理装置４０は、ウェハＷの加熱や冷却といった熱処理を行う。
アドヒージョン装置４１は、レジスト液とウェハＷとの定着性を高めるためのものである。
周辺露光装置４２は、ウェハＷの外周部を露光する。
これら熱処理装置４０、アドヒージョン装置４１、周辺露光装置４２の数や配置は、任意に選択できる。
【００２３】
例えば第３のブロックＧ３には、複数の受け渡し装置５０、５１、５２、５３、５４、５５、５６が下から順に設けられている。また、第４のブロックＧ４には、複数の受け渡し装置６０、６１、６２が下から順に設けられている。
【００２４】
図３に示すように第１のブロックＧ１〜第４のブロックＧ４に囲まれた領域には、ウェハ搬送領域Ｄが形成されている。ウェハ搬送領域Ｄには、ウェハ搬送装置７０が配置されている。
【００２５】
ウェハ搬送装置７０はそれぞれ、例えばＹ方向、Ｘ方向、θ方向及び上下方向に移動自在な搬送アーム７０ａを有している。ウェハ搬送装置７０は、上下に複数台配置されており、各ウェハ搬送装置７０は、ウェハ搬送領域Ｄ内を移動し、例えば各ブロックＧ１〜Ｇ４の同程度の高さの所定の装置にウェハＷを搬送できる。
【００２６】
また、ウェハ搬送領域Ｄには、第３のブロックＧ３と第４のブロックＧ４との間で直線的にウェハＷを搬送するシャトル搬送装置８０が設けられている。
【００２７】
シャトル搬送装置８０は、例えば図３のＹ方向に直線的に移動自在になっている。シャトル搬送装置８０は、ウェハＷを支持した状態でＹ方向に移動し、第３のブロックＧ３の受け渡し装置５２と第４のブロックＧ４の受け渡し装置６２との間でウェハＷを搬送できる。
【００２８】
図１に示すように第３のブロックＧ３のＸ方向正方向側の隣には、ウェハ搬送装置９０が設けられている。ウェハ搬送装置９０は、例えばＸ方向、θ方向及び上下方向に移動自在な搬送アーム９０ａを有している。ウェハ搬送装置９０は、ウェハＷを支持した状態で上下に移動して、第３のブロックＧ３内の各受け渡し装置にウェハＷを搬送できる。
【００２９】
インターフェイスステーション１３には、ウェハ搬送装置１００と受け渡し装置１０１が設けられている。ウェハ搬送装置１００は、例えばＹ方向、θ方向及び上下方向に移動自在な搬送アーム１００ａを有している。ウェハ搬送装置１００は、例えば搬送アーム１００ａにウェハＷを支持して、第４のブロックＧ４内の各受け渡し装置、受け渡し装置１０１及び露光装置１２との間でウェハＷを搬送できる。
【００３０】
以上の基板処理システム１には、制御部２００が設けられている。
制御部２００は、例えばＣＰＵやメモリ等を備えたコンピュータにより構成され、プログラム格納部（図示せず）を有している。プログラム格納部には、基板処理システム１における各種処理を制御するプログラムが格納されている。なお、上記プログラムは、コンピュータに読み取り可能な記憶媒体に記録されていたものであって、当該記憶媒体から制御部２００にインストールされたものであってもよい。
【００３１】
ここで、上述したレジスト膜形成装置３２の構成について図４及び図５を用いて説明する。図４は、レジスト膜形成装置３２の構成の概略を示す縦断面図であり、図５は、レジスト膜形成装置３２の構成の概略を示す横断面図である。
【００３２】
レジスト膜形成装置３２は、図４に示すように内部を密閉可能な処理容器１１０を有している。処理容器１１０の側面には、図５に示すように、ウェハＷの搬入出口１１１が形成され、搬入出口１１１には開閉シャッタ１１２が設けられている。
【００３３】
処理容器１１０内の中央部には、ウェハＷを保持して回転させる回転保持部としてのスピンチャック１２０が設けられている。このスピンチャック１２０は、水平な上面を有し、当該上面には、例えばウェハＷを吸引する吸引口（図示せず）が設けられている。この吸引口からの吸引によりウェハＷをスピンチャック１２０上に吸着保持できる。
【００３４】
スピンチャック１２０は、例えばモータ等を備えたチャック駆動部１２１により所定の速度に回転できる。また、チャック駆動部１２１には、例えばシリンダ等の昇降駆動機構（図示せず）が設けられており、スピンチャック１２０は昇降自在になっている。なお、スピンチャック１２０の下方には、ウェハＷを下方から支持し昇降させるための昇降ピン（図示せず）が設けられている。
【００３５】
また、処理容器１１０内には、スピンチャック１２０に保持されるウェハＷを囲み得るようにスピンチャック１２０に対してカップ１２２が設けられている。カップ１２２は、ウェハＷから飛散又は落下する液体を受け止め、回収する。
【００３６】
図５に示すようにカップ１２２のＸ方向負方向（図５の下方向）側には、Ｙ方向（図５の左右方向）に沿って延伸するレール１３０が形成されている。レール１３０は、例えばカップ１２２のＹ方向負方向（図５の左方向）側の外方からＹ方向正方向（図５の右方向）側の外方まで形成されている。レール１３０には、アーム１３１が設けられている。
【００３７】
アーム１３１には、レジスト液をウェハＷに供給する、処理液供給部としてのレジスト液供給ノズル１３２が支持されている。アーム１３１は、ノズル駆動部１３３により、レール１３０上を移動自在である。これにより、レジスト液供給ノズル１３２は、カップ１２２のＹ方向正方向側の外方に設置された待機部１３４からカップ１２２内のウェハＷの中心部上方まで移動でき、さらに当該ウェハＷの表面の上方をウェハＷの径方向に移動できる。また、ノズル駆動部１３３によって、アーム１３１は昇降自在であり、レジスト液供給ノズル１３２の高さを調節できる。レジスト液供給ノズル１３２は、レジスト液を供給するレジスト液供給装置Ｍに接続されている。
【００３８】
また、処理容器１１０内には、スピンチャック１２０に保持されたウェハＷの表面を撮像領域に含む、撮像部としてのカメラ１４０が設けられている。カメラ１４０の撮像領域は、検査に必要な撮像範囲が含まれていれば、ウェハＷの表面全体ではなくウェハＷの表面の一部のみが含まれるように設定されていてもよい。このカメラ１４０は、ウェハＷの搬入出及びレジスト液供給ノズル１３２の移動を阻害しない位置に配設されるように、例えば、処理容器１１０の天壁１１３に固定部材（図示せず）を介して固定されている。カメラ１４０には、例えばＣＣＤカメラを用いることができる。
カメラ１４０は、検査の際、所定のフレームレートで撮像を行う。なお、検査のときと、検査に先立って行われる後述の事前検査のときとで、撮像間隔や当該カメラ１４０が有する撮像素子の露光時間は異なる。
【００３９】
さらに、処理容器１１０内には、カメラ１４０の撮像領域に光を照射する光源１５０が設けられている。光源１５０は、平面視においてスピンチャック１２０に保持されたウェハＷをカメラ１４０との間に挟む位置であって、ウェハＷの搬入出及びレジスト液供給ノズル１３２の移動を阻害しない位置に配設されている。この光源１５０は、例えば、カップ１２２の内壁上方に固定されている。
【００４０】
カメラ１４０による撮像のタイミングや光源１５０の発光タイミングは制御部２００により制御され、また、カメラ１４０での撮像結果は当該制御部２００に出力され、検査等に用いられる。
【００４１】
以上のように構成されるレジスト膜形成装置３２では、カメラ１４０や光源１５０が制御され、カメラ１４０での撮像結果に基づいて、処理中の当該レジスト膜形成装置３２の検査が行われる。
【００４２】
次に、レジスト膜形成装置３２の検査に関する制御部２００の構成について説明する。図６は制御部２００の上記検査に関する構成の概略を示すブロック図である。図７は、検査に用いられるカメラ１４０の撮像結果における、検査対象領域の説明図であり、カメラ１４０の撮像画像の一例を示している。図８は、ウェハＷの向きに応じて外乱光が撮像結果に影響を及ぼすことを説明する図であり、ウェハＷの撮像画像を模式的に示したものであり、図８（Ａ）と図８（Ｂ）ではウェハＷの向きが異なっている。なお、図８において、符号ＮはウェハＷの向きの基準となるノッチを示している。
【００４３】
制御部２００は、図６に示すように、記憶部２０１と、検査部２０２と、選択部２０３と、事前取得部２０４と、判定部２０５と、を有する。
記憶部２０１は、レジスト膜形成装置３２の検査に関する各種情報を記憶する。
【００４４】
検査部２０２は、処理中のレジスト膜形成装置３２の検査を、選択部２０３で選択されたカメラ１４０での撮像結果に基づいて行う。例えば、検査部２０２は、上記撮像結果の検査対象領域を切り出し、その切り出した撮像結果に基づいて、レジスト膜形成装置３２の検査を行う。例えば、図７に示すように、検査対象領域Ｐは、ウェハＷの表面の中央付近に対応する領域に設定される。このように検査対象領域Ｐが設定された場合、制御部２００は、例えば、検査対象領域Ｐの撮像結果に基づいて、ウェハＷ中央の液膜が所望の外周形状を有するか否かの判定（検査）を行う。液膜の外周形状は、撮像画像における輝度の差（明暗）に基づいて取得することができ、また、上述の判定は、例えば基準画像とのパターンマッチングにより行われる。基準画像は予め取得され記憶部２０１に記憶されている。なお、検査対象領域や検査の内容は上述のものに限られない。
【００４５】
選択部２０３は、検査部２０２での検査に用いられる、カメラ１４０での撮像結果を選択する。選択部２０３における撮像結果の選択は、当該撮像結果が得られたときの、スピンチャック１２０に保持され回転中のウェハＷの向き（以下、「ウェハＷの向き」と省略することがある。）に基づいて行われる。このように撮像結果の選択を行う理由は、以下の通りである。
【００４６】
カメラ１４０の撮像領域には、前述のように、スピンチャック１２０に保持されたウェハＷの表面が含まれる。ウェハＷの表面にＩＣ（Integrated Circuit）パターンが形成されている場合、光源１５０から出射されＩＣパターンで反射された光すなわち外乱光が撮像結果に与える影響が、ウェハＷの向きに応じて変わる。例えば、ウェハＷの向きが図８（Ａ）のときに、撮像画像において外乱光によりウェハＷの中央付近の輝度が高くなったとする。この場合に、ウェハＷの向きが図８（Ａ）の状態から９０度回転した図８（Ｂ）のときに、ウェハＷの外周付近において撮像画像の輝度が高くなることがある。そして、撮像結果において、外乱光により輝度が高くなる部分が、検査対象領域Ｐと重なる場合、撮像結果に基づく検査を正確に行うことができない。
【００４７】
そのため、選択部２０３は、上述のように、検査に用いられる撮像結果を、当該撮像結果が得られたときのウェハＷの向きに基づいて選択する。具体的には、選択部２０３は、通常の状態（例えばレジスト液の吐出が行われていない状態やレジスト液の液膜が未形成の状態）でも検査対象領域の輝度が高いウェハＷの向きの撮像結果が除外されるように選択する。このような選択を可能とするため、事前取得部２０４及び判定部２０５が設けられている。
【００４８】
事前取得部２０４は、スピンチャック１２０やカメラ１４０、光源１５０等を制御し、検査に先立って、スピンチャック１２０に保持されたウェハＷの向きが互いに異なる複数の状態の撮像結果を取得する。
判定部２０５は、事前取得部２０４が取得した、スピンチャック１２０に保持されたウェハＷの向きが高いに異なる複数の状態の撮像結果に基づいて、撮像結果の検査対象領域の輝度が高くなるウェハＷの向き、すなわち、検査用の撮像時に不適切なウェハＷの向きを、検査に先立って判定する。判定部２０５での判定結果に基づいて、選択部２０３での選択が行われる。上記検査用の撮像時に不適切なウェハＷの向きの判定方法については後述する。なお、以下では、「検査用の撮像時におけるウェハＷの向きとして不適切」であることを、「不適切」である等と省略することがある。
【００４９】
次に、以上のように構成された基板処理システム１を用いて行われるウェハ処理について説明する。まず、複数のウェハＷを収納したカセットＣが、基板処理システム１のカセットステーション１０に搬入され、ウェハ搬送装置２３によりカセットＣ内の各ウェハＷが順次処理ステーション１１の受け渡し装置５３に搬送される。
【００５０】
次にウェハＷは、第２のブロックＧ２の熱処理装置４０に搬送され温度調節処理される。その後、ウェハＷは、ウェハ搬送装置７０によって例えば第１のブロックＧ１の下部反射防止膜形成装置３１に搬送され、ウェハＷ上に下部反射防止膜が形成される。その後ウェハＷは、第２のブロックＧ２の熱処理装置４０に搬送され、加熱処理され、温度調節される。
【００５１】
次にウェハＷはアドヒージョン装置４１に搬送され、アドヒージョン処理される。その後ウェハＷは、第１のブロックＧ１のレジスト膜形成装置３２に搬送され、ウェハＷ上にレジスト膜が形成される。その後ウェハＷは、熱処理装置４０に搬送され、プリベーク処理される。なお、プリベーク処理においても下部反射防止膜形成後の熱処理と同様な処理が行われ、また、後述の上部反射防止膜形成後の熱処理、露光後ベーク処理、ポストベーク処理においても同様な処理が行われる。ただし、各熱処理に供される熱処理装置４０は互いに異なる。
【００５２】
次にウェハＷは、上部反射防止膜形成装置３３に搬送され、ウェハＷ上に上部反射防止膜が形成される。その後ウェハＷは、熱処理装置４０に搬送されて、加熱され、温度調節される。その後、ウェハＷは、周辺露光装置４２に搬送され、周辺露光処理される。
【００５３】
次にウェハＷは、露光装置１２に搬送され、所定のパターンで露光処理される。
【００５４】
次いで、ウェハＷは、熱処理装置４０に搬送され、露光後ベーク処理される。その後ウェハＷは、たとえば現像処理装置３０に搬送されて現像処理される。現像処理終了後、ウェハＷは、熱処理装置４０に搬送され、ポストベーク処理される。そして、ウェハＷは、カセット載置板２１のカセットＣに搬送され、一連のフォトリソグラフィー工程が完了する。
【００５５】
ここで、レジスト膜形成装置３２における処理について詳述する。
レジスト膜形成装置３２では、カメラ１４０での撮像結果に基づく検査を検査部２０２で行いながらレジスト膜を形成していく。この検査やレジスト膜の形成に先立って、ウェハＷ毎に行われる事前処理として、検査用の撮像時に不適切なウェハＷの向きを判定する処理が行われる。
【００５６】
この処理では、スピンチャック１２０の上面でウェハＷが吸着保持されると、上述の不適切な向きの判定に用いる撮像結果の取得のため、事前取得部２０４が、レジスト液供給ノズル１３２を退避させた状態のまま、カメラ１４０等を制御する。具体的には、事前取得部２０４が、スピンチャック１２０に保持されたウェハＷの向きが互いに異なる複数の状態それぞれで、光源１５０から光が照射されカメラ１４０による撮像が行われるように、スピンチャック１２０、カメラ１４０、光源１５０を制御する。より具体的には、事前取得部２０４が、スピンチャック１２０に保持されたウェハＷの向きをスピンチャック１２０の回転軸周りに所定角度（分割角度）ずつずらした複数の状態それぞれで、光源１５０から光が照射され撮像が行われるように、制御を行う。
【００５７】
この制御は、例えば、スピンチャック１２０により低回転数でウェハＷを回転させながら、チャック駆動部１２１内に設けられたエンコーダ（図示せず）からの出力信号に基づいて行われる。ここで用いられるエンコーダからの出力信号とは、スピンチャック１２０が一回転するごとに出力されるＺ相信号と、スピンチャック１２０が一回転する間に所定回数出力されるＡ相信号（またはＢ相信号）である。例えば、ウェハＷの向きを、スピンチャック１２０の基準角度からのズレで表すものとしたとき、制御部２００は、上記エンコーダからのＺ相信号の立ち上がった時を、ウェハＷの向きが０度とする。また、制御部２００は、上記分割角度に相当する数のＡ相信号（またはＢ相信号）がエンコーダに入力される毎に、カメラ１４０の撮像素子を所定時間露光させると共に当該撮像素子から撮像結果を出力させる。図９は、カメラ１４０の撮像素子の露光タイミング及び当該撮像素子からの撮像結果の出力タイミングの一例を示すタイミングチャートである。図のタイミングチャートは、スピンチャック１２０が一回転する間にＡ相信号及びＢ相信号が５４００回出力され、上記分割角度を２度とするときのものである。このタイミングチャートに基づく制御によれば、Ａ相が３０回入力される毎に、上記撮像素子の露光及び当該撮像素子からの撮像結果の出力が行われ、ウェハＷの向きが２°ずつずれた撮像結果を、ウェハＷが１回転する分、計１８０枚取得することができる。
【００５８】
事前取得部２０４により撮像結果が取得されると、判定部２０５が、撮像結果毎に、当該撮像結果に対応するウェハＷの向きが不適切であるか否か判定する。具体的には、まず、判定部２０５は、撮像結果毎に、当該撮像結果における検査対象領域（例えば図７の符号Ｐ参照）の輝度を抽出する。抽出する輝度は、例えば、検査対象領域に含まれる画素の輝度値の平均値である。判定部２０５は、撮像結果毎に、抽出した輝度に基づいて、当該撮像結果に対応するウェハＷの向きが不適切であるか否か判定する。例えば、撮像結果から抽出した輝度が所定の閾値より大きい場合、判定部２０５は、当該撮像結果に対応するウェハＷの向きが不適切であると判定する。
【００５９】
図１０は、ウェハＷの向きが２°ずつずれた撮像結果それぞれと輝度値との関係を示す図である。判定部２０５は、図１０の撮像結果及び輝度値が得られた場合、輝度値が閾値（図の例では１５０）を超えるウェハＷの向きが１３６〜１４４°または３１６〜３２４°である撮像結果について、当該撮像結果に対応するウェハＷの向きが不適切であると判定する。
また、判定部２０５は、撮像結果毎のウェハＷの向きが不適切であるか否かの判定結果を、ウェハＷの向き毎の、上記不適切であるか否かの判定結果として記憶部２０１に記憶させる。
これにより事前処理が終了する。
【００６０】
事前処理後、レジスト膜の形成及び検査が行われる。検査はレジスト膜を形成するための各処理で行われるため、まず、レジスト膜の形成について説明する。
【００６１】
レジスト膜の形成の際、制御部２００は、まず、ウェハＷの中心部上方にレジスト液供給ノズル１３２を移動させ、ウェハＷを低回転数（例えば３００ｒｐｍ）で回転させながら、ウェハＷ上にレジスト液を供給し液膜を形成する液膜形成処理を行う。
【００６２】
そしてレジスト液供給ノズル１３２からのレジスト液の供給時間が所定の長さに達した時点で、ウェハＷの回転数を維持したまま、レジスト液の供給を停止する。次いでレジスト液供給ノズル１３２を退避させると共に、高回転数（例えば３０００ｒｐｍ）でウェハＷを回転させ、ウェハＷの中心部に供給されたレジスト液をウェハＷの全面に拡散させ所定の膜厚の塗布膜を形成する拡散処理を行う。次に、所定の回転数（例えば１５００ｒｐｍ）でウェハＷを回転させ、ウェハＷ上の塗布膜を乾燥させる乾燥処理を行う。その後、スピンチャック１２０に吸着保持されていたウェハＷがレジスト膜形成装置３２から搬出され、次のウェハＷが搬入される。
【００６３】
上述の液膜形成処理、拡散処理、乾燥処理それぞれに際し、カメラ１４０での撮像結果に基づく検査が行われる。
各処理における検査の際、制御部２００は、所定のフレームレートでカメラ１４０に撮像させる。
そして、撮像結果のうち、検査に用いるものは、事前処理で得られた、ウェハＷの向きとして不適切な向きの判定結果に基づいて、選択部２０３により選択される。具体的には、各処理における検査用の撮像結果は、事前処理で記憶された、ウェハＷの向き毎の、当該ウェハＷの向きが不適切であるか否かの判定結果に基づいて選択される。より具体的には、上記検査に用いる撮像結果は、上記判定結果、検査用の撮像時のウェハＷの回転数及び検査用の撮像時のカメラ１４０のフレームレートに基づいて決定される。
【００６４】
図１１は、検査用の撮像時のウェハＷの回転数及び検査用の撮像時のカメラのフレームレートと、検査に用いる撮像結果との関係を説明する図である。
ここで、例えば、事前処理で図１０に示すような撮像結果及び輝度値が得られているものとし、ウェハＷの回転数が９００ｒｐｍ、フレームレートが６０ｆｐｓであるものとす。このとき、図１１に示すように、ｎフレーム目とｎ＋２フレーム目はウェハＷの向きが不適切となる時間が存在せず、ｎ＋１フレーム目とｎ＋３フレーム目は中間の時間帯にウェハＷの向きが不適切となる時間が存在する場合がある。
この場合、選択部２０３は、検査に用いる撮像結果として、ｎフレーム目、ｎ＋２フレーム目の撮像結果を選択し、ｎ＋１フレーム、ｎ＋３フレーム目の撮像結果は選択しない。
【００６５】
そして、検査部２０２は、選択部２０３により選択された撮像結果に基づいて検査を行う。これにより、検査用の撮像時のウェハＷの回転数及びカメラ１４０のフレームレートによらず、正確に検査を行うことができる。
【００６６】
なお、検査の結果、不良である場合、当該検査に対応する処理は中止されると共に、以降の処理は行われずに、ウェハＷはレジスト膜形成装置３２から搬出される。
【００６７】
検査用の撮像の際、光源１５０は、常時点灯させていてもよいし、各フレームの一部の期間だけ点灯させていてもよい。また、検査用の撮像の際、カメラ１４０が有する撮像素子の露光時間は、フレームレートをｆとしたとき、１／ｆ秒以下であればよい。
【００６８】
本実施形態によれば、レジスト膜形成装置３２による処理時の検査に用いられるカメラ１４０による撮像結果を、当該撮像結果が得られたときのウェハＷの向きに基づいて選択する。したがって、上記検査に用いる撮像結果を、検査対象部分において外乱光の影響が少ないものに限定することができる。つまり、上記検査に用いる撮像画像の品質を向上させることができる。よって、撮像結果に基づく上記検査を正確に行うことができる。
【００６９】
また、本実施形態によれば、上述の事前処理で、スピンチャック１２０に保持されたウェハＷの向きが互いに異なる複数の状態それぞれで、実際に光源１５０から光を照射しながらカメラ１４０による撮像を行う。そして、撮像結果に基づいて、不適切なウェハＷの向きを判定し、判定結果に基づいて、検査に用いる撮像結果を選択する。したがって、上記検査に用いる撮像結果として、検査対象領域において外乱光の影響が少ないものを正確に取得することができる。
【００７０】
（第１実施形態の変形例）
以上の実施形態では、ウェハＷ毎に、事前処理を行い、不適切なウェハＷの向きを判定するものとした。ただし、同一のロットのウェハＷにおいて、形成されているＩＣパターンが共通であるときにおいて、以下の条件（Ａ）、（Ｂ）を満たす場合は、ロットの１枚目のウェハＷにのみ、事前処理を行い不適切なウェハＷの向きを判定するようにしてもよい。そして、その判定結果に基づいて、同一ロットの他のウェハＷの検査を行っても良い。
（Ａ）レジスト膜形成装置３２に搬入されてスピンチャック１２０に載置される時のウェハＷの向きが同一ロット内で共通
（Ｂ）レジスト膜形成装置３２に搬入されてスピンチャック１２０に載置される時のスピンチャック１２０の向きが常に一定
【００７１】
なお、上記（Ａ）を満たす場合とは、例えばロット内でのウェハＷの向き及び搬送経路が共通である場合である。また、ロット内でウェハＷの向きを共通にすることに代えて、搬送経路の途中において、各ウェハＷのノッチ位置を合わせることによりウェハＷの向きを揃える機構を設けてもよい。
【００７２】
（第２の実施形態）
図１２は、第２の実施形態にかかる検査対象領域の説明図である。図１３は、第２の実施形態にかかるレジスト膜形成装置の構成の概略を示す縦断面図である。
【００７３】
第１の実施形態では、検査対象領域Ｐは一箇所に設定されていた。この検査対象領域Ｐは、複数であってもよく、例えば、図１２に示すように、ウェハＷの表面とレジスト液供給ノズル１３２との両方に設定されてもよい。
検査対象領域Ｐが複数ある場合、選択部２０３による撮像結果の選択、判定部２０５による不適切なウェハＷの向きの判定は、検査対象領域Ｐ毎に行われる。
【００７４】
また、検査対象領域Ｐが複数ある場合、検査対象領域Ｐ毎に検査を異ならせてもよい。つまり、検査部２０２が行う検査は複数種類であってもよい。
このように、検査の種類が複数ある場合、検査の種類毎すなわち検査対象領域Ｐ毎に、異なる光源が用いられてもよい。
【００７５】
図１３のレジスト膜形成装置３２は、検査対象領域がウェハＷの表面である検査のための光源１５０の他に、検査対象領域がレジスト液供給ノズル１３２である検査のための他の光源１６０が処理容器１１０内に設けられている。光源１５０及び光源１６０は共に、カメラ１４０の撮像領域に光を照射するものであるが、光源１５０は主にウェハＷに光を照射し、光源１６０は主にレジスト液供給ノズル１３２に光を照射する。
光源１６０は、光源１５０と同様に、ウェハＷの搬入出及びレジスト液供給ノズル１３２の移動を阻害しない位置に配設されている。この光源１６０は、例えば、処理容器１１０の天壁１１３に固定部材（図示せず）を介して固定されている。
【００７６】
なお、光源１６０を用いた撮像結果に基づく検査の際も、光源１５０を用いた撮像結果に基づく検査の際と同様、検査に用いる撮像結果を選択部２０３がウェハＷの向きに基づいて選択する。
ただし、光源１６０を用いた撮像結果に基づく検査と、光源１５０を用いた撮像結果に基づく検査を行う場合、制御部２００は、検査毎に別々に撮像が行われるようにカメラ１４０を制御する。
【００７７】
制御部２００は、上述のように複数の検査を行う場合、例えば、カメラ１４０の撮像フレーム毎に、検査の種類と検査に用いる光源を切り替える。具体的には、例えば、奇数フレームの撮像の際には、第１実施形態と同様、光源１５０を用い、撮像結果から検査対象領域としてのウェハＷの表面の領域を切り出して検査を行う。そして、偶数フレームの撮像の際には光源１６０を用い、撮像結果から検査対象領域としてのレジスト液供給ノズル１３２の領域を切り出して検査を行う。
【００７８】
なお、上述のように複数の光源を切り替えて用いる場合、事前取得部２０４による、検査に先立った撮像結果の取得や、判定部２０５による不適切なウェハＷの向きの判定は、光源毎に行われる。
また、各光源からの光の波長が同じ場合は、事前取得部２０４による、検査に先立った撮像結果の取得の際に、各光源からの光の出射タイミングは互いに異なるように設定される。
ただし、各光源からの光の波長が互いに異なる場合は、光源毎に光の出射タイミングを同時にしてもよい。そして、同じ撮像結果に基づいて、各光源の発光時に不適切なウェハＷの向きの判定を行ってもよい。これにより、検査の種類と光源が複数ある場合に事前処理に要する時間を短縮することができる。
【００７９】
（第２の実施形態の変形例）
以上の例では、光源及び検査の種類が複数ある場合に、光源毎及び検査の種類毎に検査対象領域が異なり、検査対象領域が複数設定されていた。この例に限らず、光源及び検査の種類が複数ある場合に、検査対象領域を１つとしてもよい。
【００８０】
（第３の実施形態）
【００８１】
図１４は、第３の実施形態にかかる基板処理装置としてのレジスト膜形成装置の検査に関する制御部の構成の概略を示すブロック図である。
第１及び第２の実施形態では、検査対象領域Ｐは固定であった。それに対し、本実施形態では、検査対象領域Ｐは検査中に移動する。検査対象領域Ｐが検査中に移動する場合とは、例えば、検査対象が、処理中に移動するレジスト液供給ノズル１３２である場合である。
【００８２】
本実施形態において、判定部２１０は、少なくとも検査対象領域Ｐとなりうる領域毎に、検査用の撮像時に不適切なウェハＷの向きを判定する。
【００８３】
また、選択部２１１は、検査に用いるカメラ１４０での撮像結果を選択するときに、カメラ１４０で得られた撮像結果を全て取得する。その際、選択部２１１は、各撮像結果について、検査対象領域を決定する。検査対象領域の決定には、例えば、検査対象が、処理中に移動するレジスト液供給ノズル１３２である場合、当該撮像結果が得られたときのレジスト液供給ノズル１３２の位置情報が用いられる。なお、レジスト液供給ノズル１３２の位置情報には、ノズル駆動部１３３に設けられたステッピングモータ（図示せず）からの出力パルス信号を用いることができる。上述の検査対象領域の決定には、検査を開始してから当該撮像結果が得られるまでに経過した時間の情報が用いてもよい。
そして、選択部２１１は、撮像結果毎に、当該撮像結果に対して決定された検査対象領域Ｐにかかる判定部２１０でのウェハＷの不適切な向きの判定結果に基づいて、検査に用いるか否かを判定し、当該判定結果に基づいて検査に用いる撮像結果を選択する。
このようにして、選択部２１１は、検査中の各時点における検査対象領域毎に、当該検査対象領域が設定された撮像結果を用いるかの決定を行い、その決定結果に基づいて、検査に用いる撮像結果を選択する。
【００８４】
本実施形態によれば、検査対象領域Ｐが移動する場合においても検査を行うことができる。
また、本実施形態では、各撮像結果について検査対象領域を決定する際に、当該撮像結果が得られたときのレジスト液供給ノズル１３２の位置情報を用いていた。これにより、レジスト液供給ノズル１３２の移動速度等のプロセス条件によらず、検査対象領域を適切に決定することができる。
【００８５】
以上の説明では、検査対象の処理は、ウェハＷ上にレジスト液を供給し液膜を形成する処理等であるものとしたが、検査対象の処理は、これに限定されることなく、ウェハＷ上の不要物を除去するための洗浄処理等、他の処理であっても良い。
【００８６】
今回開示された実施形態はすべての点で例示であって制限的なものではないと考えられるべきである。上記の実施形態は、添付の請求の範囲及びその主旨を逸脱することなく、様々な形態で省略、置換、変更されてもよい。
【００８７】
なお、以下のような構成も本開示の技術的範囲に属する。
（１）被処理基板を処理する基板処理装置であって、
被処理基板を保持して回転させる回転保持部と、
前記回転保持部に保持された被処理基板の表面を撮像領域に含む撮像部と、
前記撮像部の前記撮像領域に光を照射する光源と、
前記撮像部による撮像結果に基づいて検査を行う検査部と、
前記検査に用いる撮像結果を、当該撮像結果が得られたときの被処理基板の向きに基づいて選択する選択部と、を有する、基板処理装置。
【００８８】
（２）前記検査に先立って、前記回転保持部に保持された被処理基板の向きが互いに異なる複数の状態の撮像結果を取得する事前取得部と、
前記複数の状態の撮像結果に基づいて、前記検査用の撮像時に不適切な被処理基板の向きを判定する判定部と、を有し、
前記選択部は、前記判定部での判定結果に基づいて、前記検査に用いる撮像結果を選択する、上記（１）に記載の基板処理装置。
【００８９】
（３）前記選択部は、前記判定部による前記不適切な被処理基板の向きの判定結果、前記検査用の撮像時の被処理基板の回転数及び前記検査用の撮像時の前記撮像部のフレームレートに基づいて、前記検査に用いる撮像結果を選択する、上記（２）に記載の基板処理装置。
【００９０】
（４）前記検査部は、前記撮像結果の検査対象領域の情報に基づいて検査を行う、上記（１）〜（３）のいずれか１に記載の基板処理装置。
【００９１】
（５）前記検査対象領域は複数であり、
前記選択部は、前記検査対象領域毎に、前記検査に用いる撮像結果を選択する、上記（１４）に記載の基板処理装置。
【００９２】
（６）前記検査対象領域は前記検査中に移動し、
前記選択部は、前記検査中の各時点における前記検査対象領域毎に、当該検査対象領域が設定された撮像結果を前記検査に用いるか否かの判定を行い、当該判定結果に基づいて前記検査に用いる撮像結果を選択する、上記（４）または（５）に記載の基板処理装置。
【００９３】
（７）前記検査部は、複数種類の前記検査を行い、
前記光源は、前記検査の種類毎に設けられ、
前記検査の種類と前記光源の種類は、撮像フレーム毎に設定される、上記（１）〜（６）のいずれか１に記載の基板処理装置。
【００９４】
（８）被処理基板を処理する基板処理装置を検査する検査方法であって、
前記基板処理装置は、
被処理基板を保持して回転させる回転保持部と、
前記回転保持部に保持された被処理基板の表面を撮像領域に含む撮像部と、
前記撮像部の前記撮像領域に光を照射する光源と、を有し、
当該検査方法は、
前記検査に用いる撮像結果を、当該撮像結果が得られたときの被処理基板の向きに基づいて選択する工程と、
前記撮像部による撮像結果に基づいて検査を行う工程と、を有する、検査方法。
【符号の説明】
【００９５】
３２  レジスト膜形成装置
１４０  カメラ
１５０  光源
２０２  検査部
２０３  選択部
Ｗ      ウェハ
【図１】
2020061419.tif 000003
【図２】
2020061419.tif 000004
【図３】
2020061419.tif 000005
【図４】
2020061419.tif 000006
【図５】
2020061419.tif 000007
【図６】
2020061419.tif 000008
【図７】
2020061419.tif 000009
【図８】
2020061419.tif 000010
【図９】
2020061419.tif 000011
【図１０】
2020061419.tif 000012
【図１１】
2020061419.tif 000013
【図１２】
2020061419.tif 000014
【図１３】
2020061419.tif 000015
【図１４】
2020061419.tif 000016